【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
マーク長が所定の長さ未満の記録マークについては、第１の記録パワーを有する１つの記録パルスで形成し、マーク長が所定の長さ以上の記録マークについては、第１の記録パワーよりも低い第２の記録パワーを有する休止期間にて第１の記録パワーを有する記録パルスを分割して記録マークを形成する記録マークの形成方法において、
前記休止期間が、記録マークのマーク長によらず一定になり、かつ、記録パルスの分割数によらず一定になるように設定されており、
前記の所定の長さ未満の記録マークのマーク長は、最短マーク長以上５Ｔ以下である一方、前記所定の長さ以上の記録マークのマーク長は、６Ｔ以上最長マーク長以下であることを特徴とする記録マークの形成方法。
【請求項２】
マーク長が所定の長さ未満の記録マークについては、第１の記録パワーを有する１つの記録パルスで形成し、マーク長が所定の長さ以上の記録マークについては、第１の記録パワーよりも低い第２の記録パワーを有する休止期間にて第１の記録パワーを有する記録パルスを分割して記録マークを形成する記録マークの形成方法において、
前記休止期間が、記録マークのマーク長によらず一定になり、かつ、記録パルスの分割数によらず一定になるように設定されており、
前記所定の長さ未満の記録マークのマーク長は、最短マーク長以上６Ｔ以下である一方、前記所定の長さ以上の記録マークのマーク長は、７Ｔ以上最長マーク長以下であることを特徴とする記録マークの形成方法。
【請求項３】
記録媒体に対して、マーク長が所定の長さ未満の記録マークについては、第１の記録パワーを有する１つの記録パルスで形成し、マーク長が所定の長さ以上の記録マークについては、第１の記録パワーよりも低い第２の記録パワーを有する休止期間にて第１の記録パワーを有する記録パルスを分割して記録マークを形成する情報記録方法において、
前記休止期間が、記録マークのマーク長によらず一定になり、かつ、記録パルスの分割数によらず一定になるように設定されており、
前記の所定の長さ未満の記録マークのマーク長は、最短マーク長以上５Ｔ以下である一方、前記所定の長さ以上の記録マークのマーク長は、６Ｔ以上最長マーク長以下であることを特徴とする情報記録方法。
【請求項４】
記録媒体に対して、マーク長が所定の長さ未満の記録マークについては、第１の記録パワーを有する１つの記録パルスで形成し、マーク長が所定の長さ以上の記録マークについては、第１の記録パワーよりも低い第２の記録パワーを有する休止期間にて第１の記録パワーを有する記録パルスを分割して記録マークを形成する情報記録方法において、
前記休止期間が、記録マークのマーク長によらず一定になり、かつ、記録パルスの分割数によらず一定になるように設定されており、
前記所定の長さ未満の記録マークのマーク長は、最短マーク長以上６Ｔ以下である一方、前記所定の長さ以上の記録マークのマーク長は、７Ｔ以上最長マーク長以下であることを特徴とする情報記録方法。
【請求項５】
情報記録媒体に対して、レーザ光を照射して記録マークを形成する記録マーク形成手段であって、マーク長が所定の長さ未満の記録マークについては、第１の記録パワーを有する１つの記録パルスで形成し、マーク長が所定の長さ以上の記録マークについては、第１の記録パワーよりも低い第２の記録パワーを有する休止期間にて第１の記録パワーを有する記録パルスを分割する記録マーク形成手段を備えた情報記録装置において、
上記記録マーク形成手段は、前記休止期間を、記録マークのマーク長によらず一定になり、かつ、記録パルスの分割数によらず一定になるように設定し、
前記の所定の長さ未満の記録マークのマーク長は、最短マーク長以上５Ｔ以下である一方、前記所定の長さ以上の記録マークのマーク長は、６Ｔ以上最長マーク長以下であることを特徴とする情報記録装置。
【請求項６】
情報記録媒体に対して、レーザ光を照射して記録マークを形成する記録マーク形成手段であって、マーク長が所定の長さ未満の記録マークについては、第１の記録パワーを有する１つの記録パルスで形成し、マーク長が所定の長さ以上の記録マークについては、第１の記録パワーよりも低い第２の記録パワーを有する休止期間にて第１の記録パワーを有する記録パルスを分割する記録マーク形成手段を備えた情報記録装置において、
上記記録マーク形成手段は、前記休止期間を、記録マークのマーク長によらず一定になり、かつ、記録パルスの分割数によらず一定になるように設定し、
前記所定の長さ未満の記録マークのマーク長は、最短マーク長以上６Ｔ以下である一方、前記所定の長さ以上の記録マークのマーク長は、７Ｔ以上最長マーク長以下であることを特徴とする情報記録装置。
【請求項７】
前記休止期間が前記レーザ光の立下り時間より大きくなるように設定されていることを特徴とする請求項５または６に記載の情報記録装置。
【請求項８】
前記休止期間が１Ｔと等しくなるように設定されていることを特徴とする請求項５から７までのいずれか１項に記載の情報記録装置。
【請求項９】
前記記録マークを形成しないスペース期間におけるレーザパワーであるスペースパワーと前記第２の記録パワーとが等しくなるように設定されていることを特徴とする請求項５から８までのいずれか１項に記載の情報記録装置。
【請求項１０】
最短マーク長の記録マークを形成する記録パワーが、前記最短マーク長の記録マーク以外の記録マークを形成する記録パワーよりも高く設定されていることを特徴とする請求項５から９までのいずれか１項に記載の情報記録装置。
【請求項１１】
さらに、上記最短マーク長の記録マークに続く短マーク長の記録マークを形成する記録パワーが、これらの記録マーク以外の記録マークを形成する記録パワーよりも高く設定されていることを特徴とする請求項１０に記載の情報記録装置。
【請求項１２】
請求項５から１１までのいずれか１項に記載の情報記録装置により記録マークが記録されたことを特徴とする情報記録媒体。
【請求項１３】
請求項１または２に記載の記録マークの形成方法により記録マークが記録されたことを特徴とする情報記録媒体。
【請求項１４】
請求項１または２に記載の記録マークの形成方法で記録を行うための記録情報が記録されていることを特徴とする情報記録媒体。
【請求項１５】
請求項３または４に記載の情報記録方法により記録マークが記録されたことを特徴とする情報記録媒体。
【請求項１６】
請求項３または４に記載の情報記録方法で記録を行うための記録情報が記録されていることを特徴とする情報記録媒体。
【請求項１７】
情報記録媒体に対して、レーザ光を照射して記録マークを形成する記録マーク形成手段であって、マーク長が所定の長さ未満の記録マークについては、第１の記録パワーを有する１つの記録パルスで形成し、マーク長が所定の長さ以上の記録マークについては、第１の記録パワーよりも低い第２の記録パワーを有する休止期間にて第１の記録パワーを有する記録パルスを分割する記録マーク形成手段を備えた情報記録装置において、
上記記録マーク形成手段は、前記休止期間を、記録マークのマーク長によらず一定になり、かつ、記録パルスの分割数によらず一定になるように設定し、
最短マーク長の記録マークを形成する記録パワーが、前記最短マーク長の記録マーク以外の記録マークを形成する記録パワーよりも高く設定されていることを特徴とする情報記録装置。
【請求項１８】
さらに、上記最短マーク長の記録マークに続く短マーク長の記録マークを形成する記録パワーが、これらの記録マーク以外の記録マークを形成する記録パワーよりも高く設定されていることを特徴とする請求項１７に記載の情報記録装置。